(57)【要約】【課題】ホース等から貯水タンク等に放水して水を溜める場合に、ホース等の端部を人手により保持し続けることを不要とする送水管を提供すること。【解決手段】始端には送水ホースの端部を接続する接続部が設けられ、終端には水が流出する放水部が設けられ、貯水体の開口部に係止する係止部を備える送水管。【選択図】図１
2016067802.tif 000002
【特許請求の範囲】
【請求項１】
始端には送水ホースの端部を接続する接続部が設けられ、
終端には水が流出する放水部が設けられ、
貯水体の開口部に係止する係止部を備える送水管。
【請求項２】
側面視で略Ｓ字状を形成するように、斜め下方向に延在する第１の直管部と、Ｒ状の第１のＲ管部と、水平方向に延在する第２の直管部と、Ｒ状の第２のＲ管部と、鉛直方向の下側へ延在する第３の直管部とからなる送水管であって、
前記第１の直管部の始端には送水ホースの端部を接続する接続部が設けられ、
前記第２のＲ管部の終端には水が流出する放水部が設けられ、
貯水体の開口縁部の外面側に係止する鉤状の係止部と、
前記放水部から水を流出させた際の水圧の反動による前記送水管の移動を前記貯水体の内面側に当接して規制する第１の移動規制部および第２の移動規制部を備える送水管。
【請求項３】
貯水体の開口部に送水管が備える係止部を係止させる工程と、
貯水用の送水ホースに接続された前記送水管から前記貯水体へ水を流出させる工程と
を有する送水方法。
【発明の詳細な説明】
【技術分野】
【０００１】
本発明は、内部に水溜め空間を有し、かつ、開口部を備える貯水体に水などを供給するための送水管に関する。
【背景技術】
【０００２】
消防車としての揚水・放水機能を持つポンプ車による消火活動は、消防水利に吸管を入れて、ポンプで水などの種々の液体、流動体、半流動体、泡および泥等を含むそれらのもの（以下「水」と総称する。）を吸い上げ、ホースから放水することが基本である。
【０００３】
消火などのために水を供給する施設としての消防水利には、消火栓、防火水槽の他、プール、池、河川、海等も用いられることがある。
しかし、消防水利と消防車は近接（数ｍ程度）していなければ水を吸い上げて放水することができない。ところが、火災現場等によっては遠方の消防水利しかない場合がある。
【０００４】
上記のような場合に用いられる、いわゆる連結躁法という複数の消防車を連結して消火などのために放水する手法がある。
消防車の放水は所定の水圧で行われるが、ホース１本ごとにその圧力が低下していく。そのため、ホースを複数本（例えば６本）繋げると筒先（放水点）では相当の減圧となる。消防車の内部で圧を高めることも可能であるがホース自体の耐圧性からも限度がある。
そのため、他の消防車を途中に連結して再度圧力をかけて放水する手法が考え出された。この場合、連結した消防車側では、吸い込みと放水の両方の圧力が均等となるように調整することが必要となるが、多数の注意事項があり煩雑・困難なケースもある。
【０００５】
そこで、一旦、消防水利側の消防車のホースから貯水タンク等の貯水体に放水して水を溜めて、その溜まり水を他の消防車側で吸い上げて放水することが行われる場合がある。
その際、消防水利側の消防車のホースの端部を保持して放水口から、貯水タンク等の貯水体の開口部に確実に水を放水する作業は、人手により実施されていた。
【０００６】
ここで、関連技術として、消防用の送水管などを開示するものがある。すなわち、上流側の水をサイホン作用によって送水する送水装置を構成するための分岐吸送水部材であって、逆止弁を内蔵した分岐吸水部を有し、上流側に配置された水中ポンプと下流側に向けて送水する送水管との間に介装される構成に特徴がある技術が開示されている（特許文献１参照）。
【先行技術文献】
【特許文献】
【０００７】
【特許文献１】特開２００６−２１４３６３号公報
【発明の概要】
【発明が解決しようとする課題】
【０００８】
上記のようにホース等から貯水タンク等の貯水体に放水して水を溜める場合に、ホース等の端部を人手により保持しなければならないのでは、ときには数時間もホースを持ち続けることが必要であり手が疲れるのみならず、特に雨や寒い日などにおいては体温も低下して過酷な作業となるという問題点があった。
【０００９】
本発明の目的は、ホース等から貯水タンク等に放水して水を溜める場合に、ホース等の端部を人手により保持し続けることを不要とする送水管を提供することにある。
【課題を解決するための手段】
【００１０】
本発明の第１の送水管は、始端には送水ホースの端部を接続する接続部が設けられ、
終端には水が流出する放水部が設けられ、
貯水体の開口部に係止する係止部を備える。
【００１１】
このように構成することにより、貯水体の開口部に係止する係止部が存在するので、送水管自体を貯水体に係止させておくことが可能となり、送水管に接続されたホース等の端部を人手により保持し続けることが不要となる。
【００１２】
本発明の第２の送水管は、側面視で略Ｓ字状を形成するように、斜め下方向に延在する第１の直管部と、Ｒ状の第１のＲ管部と、水平方向に延在する第２の直管部と、Ｒ状の第２のＲ管部と、鉛直方向の下側へ延在する第３の直管部とからなる送水管であって、
第１の直管部の始端には送水ホースの端部を接続する接続部が設けられ、
第２のＲ管部の終端には水が流出する放水部が設けられ、
貯水体の開口縁部の外面側に係止する鉤状の係止部と、
放水部から水を流出させた際の水圧の反動による送水管の移動を貯水体の内面側に当接して規制する第１の移動規制部および第２の移動規制部を備える。
【００１３】
このように構成することにより、貯水体の開口部に係止する係止部が存在するので、送水管自体を貯水体に安定的に係止させることや、水圧の反動により送水管がはね上がる動作を規制することが可能となり、送水管に接続されたホース等の端部を人手により保持し続けることが不要となる。
【００１４】
本発明の送水方法は、貯水体の開口部に送水管が備える係止部を係止させる工程と、
貯水用の送水ホースに接続された送水管から貯水体へ水を流出させる工程と
を有する。
【００１５】
このように構成することにより、貯水体の開口部に係止部を係止するので、送水管自体を貯水体に係止させておくことが可能となり、送水管に接続されたホース等の端部を人手により保持し続けることが不要となる。
【発明の効果】
【００１６】
本発明によれば、ホース等から貯水タンク等に放水して水を溜める場合に、ホース等の端部を人手により保持し続けることを不要とする送水管を提供することができる。
【図面の簡単な説明】
【００１７】
【図１】本発明の実施の形態における送水管の斜視図である。
【図２】本発明の実施の形態における送水管の側面図である。
【図３】本発明の実施の形態における送水管の平面図である。
【図４】本発明の実施の形態における送水管を貯水体に係止した状態を示す図である。
【図５】本発明の実施の形態における送水管の使用状態の一例を示す図である。
【発明を実施するための形態】
【００１８】
以下、本発明の実施の形態を図面を参照しつつ説明する。
【００１９】
図１、図２及び図３を参照して、本実施の形態における送水管１の構成を説明する。送水管１は、貯水体としてのタンクＴに水を供給する場合に、送水ホースＨ１に接続されて、貯水体としてのタンクＴに係止させて水を案内する流路として用いられるものである。
【００２０】
本実施形態の送水管１は、流路を軸方向に形成された内径を約６５ｍｍ、外径を約７９ｍｍ、厚さ寸法を約７ｍｍとした管路であり、側面視で略Ｓ字状を形成する（図２参照）。図２において、全体の長手方向の寸法は約６５７ｍｍ、高さ寸法は約３５０ｍｍである。
送水管１は、図１および図２の図中において左側から順に、略４５度の角度により斜め下方向に延在する長さ寸法約２５０ｍｍの第１の直管部１０と、Ｒ状の第１のＲ管部２０と、水平方向に延在する第２の直管部３０と、Ｒ状の第２のＲ管部４０と、鉛直方向の下側へ延在する第３の直管部５０とから構成されている。
【００２１】
第１の直管部１０の始端（図１・図２では左側）には送水ホースの端部を接続する接続部が設けられている。接続部とは、本実施の形態のように付属部品としての別体の接続部材２（例えば、岩崎製作所製：結合金具（アルミ製）０３ＭＡ０６５Ａ）が送水管１の空隙部内に挿入されて取り付けられて実現されることであってもよいし、また、送水管１の第１の直管部の始端自体の構造により実現されることであってもよい。
【００２２】
下方に膨出する第１のＲ管部２０により、第１の直管部１０と、第２の直管部３０とがそれぞれ溶接等により接続されている。
【００２３】
長さ寸法約４００ｍｍの第２の直管部３０には、外面上側に、後述する貯水体としてのタンクＴの開口縁部の外面側に係止する高さ寸法は約１００ｍｍ、幅寸法は約３０ｍｍ、直管方向約８０ｍｍにわたって鉤状となる係止部３１が設けられている（図３も参照）。さらに、第２の直管部３０には、外面上側に、第１の移動規制部としての移動規制部３２が、係止部３１の鉤状の先端部の略鉛直方向の真下に高さ寸法が約２０ｍｍの突起状に設けられている（図３も参照）。移動規制部３２の上部が、放水部から水を流出させた際の水圧の反動により送水管１が移動すると、貯水体としてのタンクＴの内面（内壁）側に当接する。このように移動規制部３２の存在により、水圧の反動による送水管１が暴れて移動する動作が発生した場合に、係止部３１の移動を所定範囲内に規制することができるため係止部３１の係止が不可能とならないように補助することができる。
【００２４】
上方に膨出する第２のＲ管部４０により、第２の直管部３０と、第３の直管部５０とがそれぞれ溶接等により接続されている。第２のＲ管部４０には、外面上側に、第２の直管部３０の外面上側に連なって高さ寸法は約１００ｍｍ、幅寸法は約３０ｍｍ、直管方向約１４０ｍｍにわたって第２の移動規制部としての移動規制部４１が設けられている（図３も参照）。移動規制部４１は、幅寸法は約３０ｍｍの板状体からなり、略台形状（上辺が第２の直管部３０と略平行）の外枠を形作る外枠部材と、その外枠部材を支持する略Ｖ字状の軸支部材とから構成されている。移動規制部４１の略台形状の上辺に相当する外枠部材が、放水部から水を流出させた際の水圧の反動により送水管１が鉛直方向の上側へ移動すると、貯水体としてのタンクＴの内面（内壁）側に当接する。このように移動規制部４１の存在により、水圧の反動による送水管１が鉛直方向の上側へ移動する動作が発生した場合に、水を流出させる放水部の位置の移動を所定範囲内に規制することができるため安定的に放水させることが可能となる。
【００２５】
長さ寸法約６０ｍｍの第３のＲ管部５０の終端（図１・図２では右側）には水を流出させる放水部が設けられている。放水部とは、本実施の形態のように送水管１の第３の直管部の終端自体の構造により実現されることであっても、また、付属部品としての別体の放水部材が送水管１に取り付けられて実現されることであってもよい。
【００２６】
なお、送水管１の材質は、水圧に耐えられる所定の強度剛性を有するものであれば種々適用可能であり、本実施の形態ではアルミの金属管のみにより総重量約５．５ｋｇで実現したが、複数の樹脂成型品、樹脂成型品と金属管の組合せ等により構成することであってもよい。なお、樹脂成型する場合は、樹脂の材料としてポリ塩化ビニルのような合成樹脂材料を用いてもよい。
送水管１の各構成部分は、溶接等により接続されるのみでなく、ボルト及びナットのような締結部材又は接着剤等により接続されたり、一体成型されたり、管の一端部の外周面には、他の管の内周面に形成された雌ねじ部に螺合可能な円筒状の雄ねじ部材が形成されて連結されることであってもよい。
【００２７】
次に、図４を参照して、本実施の形態における送水管１を貯水体としてのタンクＴに係止した状態を説明する。
【００２８】
タンクＴは、農業用や工事現場用などに広く使用されており、例えば、水・農薬の調合運搬、工業薬品の貯蔵運搬、液体食品の貯蔵運搬等に用いられている。貯水体としては、タンクＴの他に、内部に水溜め空間を有し、かつ、開口部を備えて水を溜めることができるものであれば種々のものを含む。
本実施の形態におけるタンクＴは、寸法が幅１１００ｍｍ×奥行８５０ｍｍ×高さ７７０ｍｍであり、容量が５００リットルであり、本体重量が１６ｋｇであり、上部四隅に設けられた凸部に囲まれた開口部（マンホール）の内径が３８０ｍｍでその蓋はネジ式であり、材質がポリエチレン樹脂等である。
【００２９】
送水管１の長さ寸法（図２の全体の長手方向の寸法）は、タンクＴの上方に設けられている開口部のサイズに合致させている。したがって、タンクＴおよびその開口部の大きさに応じて、送水管１の長さ寸法は適宜変更されるものである。なお、タンクＴの容量が６００リットル、１０００リットルなどと異なっていても、開口部の内径のサイズは同一に形成されている場合も多いので、その場合には送水管１の長さ寸法を変更することなくそのまま利用することができる。
【００３０】
送水管１をタンクＴの上方に設けられている開口部から内部空間に挿入し、タンクＴの開口縁部の外面側に鉤状の係止部３１を係止する。このとき、送水管１の第１の直管部１０の接続部とタンクＴの開口部とが当接して、バランスが保持されている。なお、送水管１への送水が開始されていないこの状態では、移動規制部３２および移動規制部４１のうち少なくとも移動規制部４１はタンクＴの内面側に当接していない。移動規制部３２は、タンクＴの内面側に当接している態様と当接していない態様があり得る。
【００３１】
次に、図５を参照して、本実施の形態における送水管１の使用状態の一例を説明する。
消防水利側の一の消防車側で、消防水利に送水ホースＨ１（吸管）を入れて、ポンプで水を吸い上げ、加圧された水を給水用の送水ホースＨ１に連結された送水管１からタンクＴに放水して水を溜める。その溜まり水を他の消防車側の排水用の送水ホースＨ２（吸管）で吸い上げ、加圧された消火用の水を放水する。
【００３２】
送水管１への送水が開始されていない場合（図４参照）には、移動規制部４１はタンクＴの内面側に当接していないが、送水管１へ水が案内されて送水管１の第３のＲ管部５０の放水部から水を流出させ始めると水圧の反動により、送水管１は鉛直方向の上側へ跳ね上がるように移動し、この動作に伴い、移動規制部４１はタンクＴの上部四隅に設けられた凸部のうちの一つの内面側に当接する。また、送水管１への送水が開始されていないときに移動規制部３２がタンクＴの内面側に当接していない場合は、送水管１へ水が案内されて送水管１の第３のＲ管部５０の放水部から水を流出させ始めると水圧の反動により、送水管１が移動すると、この動作に伴い、移動規制部３２はタンクＴの内面側に当接する。この際、係止部３１も鉛直方向の上側に移動し、そのタンクＴの開口縁部の外面側への係止状態が解除されることであってもよい。
【００３３】
そして、送水管１への送水継続状態（図５参照）から送水停止状態（図４参照）となると、水圧の反動が消滅して、重力により移動規制部４１（および移動規制部３２）のタンクＴの内面側への当接は解除され、再び、係止部３１も鉛直方向の下側に移動し、タンクＴの開口縁部の外面側に係止する。
【００３４】
上記の本実施の形態の送水管１によれば、（１）水圧がかかっても送水管１の形状自体を保持できること、（２）係止部３１により送水管１をタンクＴに係止させることができること、（３）移動規制部３２および移動規制部４１により水圧の反動と相俟って送水管１のタンクＴの開口部に対する位置を保持できること、が可能となり、そのため、ホース等から貯水タンク等に放水して水を溜める場合に、送水・停水による水圧のオン・オフに対応できるので、ホース等の端部を人手により保持し続けることが不要となり、ホース等の端部を人手により数時間もホースを持ち続けるという過酷な作業から生じる不都合を回避することができる。
【００３５】
また、ホース等から貯水タンク等に放水して水を溜める場合に、従来は何らかの手法によりホースの放水口を貯水タンク等の貯水体の開口部に仮固定することができても、何かのはずみで仮固定状態が解除されてしまい、周囲に放水してしまう事態を案じて、作業担当者は貯水タンク等から遠くまで離れることはできない、という不便さがあったが、そのような不都合も解消することができる。さらに、送水管１はタンクＴに脱着可能であり、常設している必要がないため取扱い・保管の便宜が図られている。例えば、タンクＴは、消防車に搭載されている場合もあり、送水管１などの付属部材がタンクＴに予め備わっていると邪魔になることもある。
【００３６】
本実施の形態の送水管１は、上記の水・農薬の調合運搬、工業薬品の貯蔵運搬、液体食品の貯蔵運搬等の他、排水処理プラントにおける処理水などの移動、造船分野における海水などの移動、 建設分野における雨水の移動、各種工場内における液状資材の移動、上下水道工事における水の移動、花屋における切り花用の水の移動など、ホースとタンクを利用した態様が想定される多分野に適用可能である。
【００３７】
その他、一々例示はしないが、本発明は、その趣旨を逸脱しない範囲内において、種々の変更が加えられて実施されてよい。
【符号の説明】
【００３８】
１            送水管
２            接続部材
１０          第１の直管部
２０          第１のＲ管部
３０          第２の直管部
３１          係止部
３２、４１    移動規制部
４０          第２のＲ管部
５０          第３の直管部
【図１】
2016067802.tif 000003
【図２】
2016067802.tif 000004
【図３】
2016067802.tif 000005
【図４】
2016067802.tif 000006
【図５】
2016067802.tif 000007